(57)【要約】【課題】タブを有する用紙に対して、後処理に応じてタブ位置を制御することである。【解決手段】画像形成システム１は、用紙を給紙搬送する用紙搬送部と、画像形成部１７Ａ，３７Ａとを有する画像形成装置において、用紙の搬送経路に、用紙の搬送方向に垂直に対向する２辺を入れ替えるスイッチバック反転部３８及び前記用紙の搬送方向に平行に対向する２辺を入れ替えるセイムエッジ反転部２４と、を有する。【選択図】図２
2013234065.tif 000002
【特許請求の範囲】
【請求項１】
用紙を給紙搬送する用紙搬送部と、画像形成部とを有する画像形成装置において、
用紙の搬送経路に、用紙の搬送方向に垂直に対向する２辺を入れ替えるスイッチバック反転部及び前記用紙の搬送方向に平行に対向する２辺を入れ替えるセイムエッジ反転部と、を有することを特徴とする画像形成装置。
【請求項２】
前記画像形成部は、第１の画像形成部と、その用紙搬送方向下流側に第２の画像形成部とを有し、前記スイッチバック反転部または前記セイムエッジ反転部の何れか一方が前記第１の画像形成部と前記第２の画像形成部との間に配置され、他方が前記第２の画像形成部の下流側に配置されることを特徴とする請求項１に記載の画像形成装置。
【請求項３】
前記画像形成装置は、制御部と、前記第２の画像形成部の下流側に配置される前記スイッチバック反転部または前記セイムエッジ反転部の下流側に後処理部とを更に有し、
前記制御部は、前記後処理部の後処理条件に応じてセイムエッジ反転及び／またはスイッチバック反転の動作の有無を制御することを特徴とする請求項２に記載の画像形成装置。
【請求項４】
前記後処理部の後処理条件が、用紙の先端基準か、後端基準かに応じてセイムエッジ反転及び／またはスイッチバック反転の動作の有無を制御することを特徴とする請求項３に記載の画像形成装置。
【請求項５】
前記用紙がインデックス紙であることを特徴とする請求項１から４のいずれか一項に記載の画像形成装置。
【請求項６】
用紙に画像形成を行い画像形成された用紙に対して後処理を行う画像形成システムであって、
用紙に画像形成する第１の画像形成装置と、
前記第１の画像形成装置の用紙搬送方向下流側に設けられた、用紙に画像形成する第２の画像形成装置と、
前記第１の画像形成装置と前記第２の画像形成装置との間に設けられた用紙の搬送方向に平行に対向する２辺を入れ替えるセイムエッジ反転するセイムエッジ反転装置または搬送方向に垂直に対向する２辺を入れ替えるスイッチバック反転するスイッチバック反転装置のいずれか一方の第１の反転装置と、
前記第２の画像形成装置の用紙搬送方向下流側に設けられた、前記セイムエッジ反転装置または前記スイッチバック反転装置のいずれか他方の第２の反転装置と、
前記後処理部の後処理条件に応じて、前記第１の画像形成装置、前記セイムエッジ反転装置、前記第２の画像形成装置及び前記スイッチバック反転装置の動作を制御する制御部と、
前記第２の反転装置から出力された用紙に後処理を施す後処理装置と、
前記後処理装置の後処理条件に応じて、前記第１の画像形成装置、前記セイムエッジ反転装置、前記第２の画像形成装置及び前記スイッチバック反転装置の動作を制御する制御部と、
を備えることを特徴とする画像形成システム。
【請求項７】
前記制御部は、前記用紙に対する前記後処理装置の後処理が先端基準であるか後端基準であるかに応じて、前記第１の画像形成装置及び前記第２の画像形成装置による当該用紙への表面及び裏面の画像形成と、前記スイッチバック反転装置による当該用紙へのスイッチバック反転及び前記セイムエッジ反転装置の動作の有無とを制御することを特徴とする請求項６に記載の画像形成システム。
【請求項８】
前記第１の反転装置が前記セイムエッジ反転装置であり、前記第２の反転装置が前記スイッチバック反転装置であることを特徴とする請求項６又は７に記載の画像形成システム。
【請求項９】
用紙がインデックス紙である場合に、前記第１の画像形成装置に対して搬送方向先端側にタブが位置しない状態でインデックス紙を給紙し、
前記制御部は、前記インデックス紙のフェースダウン出力を行うにあたり、当該インデックス紙に対する前記後処理装置の後処理が後端基準である場合に、前記第１の画像形成装置に当該インデックス紙の裏面へ画像形成させ、前記セイムエッジ反転装置に当該インデックス紙をセイムエッジ反転させ、前記第２の画像形成装置に当該インデックス紙の表面へ画像形成させ、前記スイッチバック反転装置に当該インデックス紙をスイッチバック反転させて当該インデックス紙のタブを搬送方向先端側に位置するように制御することを特徴とする請求項８に記載の画像形成システム。
【請求項１０】
用紙がインデックス紙である場合に、前記第１の画像形成装置に対して搬送方向先端側にタブが位置しない状態でインデックス紙を給紙し、
前記制御部は、前記インデックス紙のフェースダウン出力を行うにあたり、当該インデックス紙に対する前記後処理装置の後処理が先端基準である場合に、前記第１の画像形成装置に当該インデックス紙の表面へ画像形成させ、前記セイムエッジ反転装置に当該インデックス紙をセイムエッジ反転させ、前記第２の画像形成装置に当該インデックス紙の裏面へ画像形成させて当該インデックス紙のタブを搬送方向後端側に位置するように制御することを特徴とする請求項８に記載の画像形成システム。
【請求項１１】
用紙がインデックス紙である場合に、前記第１の画像形成装置に対して搬送方向先端側にタブが位置しない状態でインデックス紙を給紙し、
前記制御部は、前記インデックス紙のフェースアップ出力を行うにあたり、当該インデックス紙に対する前記後処理装置の後処理が後端基準である場合に、前記第１の画像形成装置に当該インデックス紙の表面へ画像形成させ、前記セイムエッジ反転装置に当該インデックス紙をセイムエッジ反転させ、前記第２の画像形成装置に当該インデックス紙の裏面へ画像形成させ、前記スイッチバック反転装置に当該インデックス紙をスイッチバック反転させて当該インデックス紙のタブを搬送方向先端側に位置するように制御することを特徴とする請求項８に記載の画像形成システム。
【請求項１２】
用紙がインデックス紙である場合に、前記第１の画像形成装置に対して搬送方向先端側にタブが位置しない状態でインデックス紙を給紙し、
前記制御部は、前記インデックス紙のフェースアップ出力を行うにあたり、当該インデックス紙に対する前記後処理装置の後処理が先端基準である場合に、前記第１の画像形成装置に当該インデックス紙の裏面へ画像形成させ、前記セイムエッジ反転装置に当該インデックス紙をセイムエッジ反転させ、前記第２の画像形成装置に当該インデックス紙の表面へ画像形成させて当該インデックス紙のタブを搬送方向後端側に位置するように制御することを特徴とする請求項８に記載の画像形成システム。
【発明の詳細な説明】
【技術分野】
【０００１】
本発明は、用紙に画像形成する画像形成装置及び画像形成システムに関する。
【背景技術】
【０００２】
従来、用紙に画像形成して印刷を行う複写機等の画像形成装置が知られている。また、用紙としてのインデックス紙を印刷する方法が知られている。インデックス紙とは、矩形の用紙の１辺にタブを有する用紙である。インデックス紙を含む用紙束は、通常、タブを有する辺に対向する辺が綴じられる。
【０００３】
例えば、複数の章を示す複数のインデックス紙のそれぞれの間に、各章の内容を示す通常紙が挿入された用紙束を印刷する例を考える。通常紙とは、通常の矩形の用紙である。この用紙束におけるインデックス紙のタブの位置が用紙束の１辺に位置するように、各インデックス紙の向きが揃えられている。インデックス紙は、例えば、１辺上でタブの位置が順にずれた一連のインデックス紙からなるタブ束として用いられる。
【０００４】
画像形成装置により、インデックス紙を含む用紙束を印刷する場合に、給紙トレイにインデックス紙をセットする向き及び表裏を適切にする必要がある。このため、インデックス紙を含む用紙束を印刷する場合に、この用紙束の左綴じ又は右綴じの綴じ方向に応じて、画像の回転角度、画像形成排出の順序及び排出面を切り替える画像形成装置が知られている（例えば、特許文献１参照）。
【０００５】
また、画像形成装置に後処理装置が連結され、画像形成装置により画像形成された用紙にパンチ穴あけ等の後処理装置を施す画像形成システムが知られている。
【先行技術文献】
【特許文献】
【０００６】
【特許文献１】特開２００７−２９０２０８号公報
【発明の概要】
【発明が解決しようとする課題】
【０００７】
後処理装置の後処理には、用紙搬送方向の用紙の先端を基準にして後処理を行う先端基準の後処理と、用紙搬送方向の用紙の後端を基準にして後処理を行う後端基準の後処理と、がある。先端基準の後処理では、用紙の搬送経路において、例えば、用紙の先端を停止部に突き当てた用紙に後処理が施され、後端基準の後処理では、同様に、用紙の後端を停止部に突き当てた用紙に後処理が施される。
【０００８】
後処理を伴ってインデックス紙を印刷する場合に、インデックス紙に施す後処理の精度を上げるため、先端基準の後処理では、インデックス紙のタブがない辺を先端にせねばならず、後端基準の後処理では、インデックス紙のタブがない辺を後端にせねばならない。
【０００９】
例えば、後端基準の後処理を伴ってインデックス紙を出力する場合に、インデックス紙をセイムエッジ反転した後に、スイッチバック反転が必要になる。セイムエッジ反転とは、用紙の搬送方向に平行な対向する２辺を互いに入れ替えるように、用紙を搬送方向に平行な軸の周りに半回転させて用紙の表裏を反転する方法である。スイッチバック反転とは、用紙の搬送方向に垂直に対向する２辺（用紙先端と後端）を入れ替えるために、反転部で用紙先端が反転ローラーを通過してから後端が通過する前に反転ローラーの搬送方向を逆転させ、後端だった部分を先端として搬送する反転方法である。
【００１０】
しかし、従来の画像形成システムでは、セイムエッジ反転部又はスイッチバック反転部を備えるものしかなく、インデックス紙に対して、先端基準及び後端基準の後処理ができない、または制約があった。
【００１１】
本発明の課題は、タブを有する用紙に対して、後処理に応じてタブ位置を制御することである。
【課題を解決するための手段】
【００１２】
上記課題を解決するため、請求項１に記載の発明は、用紙を給紙搬送する用紙搬送部と、画像形成部とを有する画像形成装置において、
用紙の搬送経路に、用紙の搬送方向に垂直に対向する２辺を入れ替えるスイッチバック反転部及び前記用紙の搬送方向に平行に対向する２辺を入れ替えるセイムエッジ反転部と、を有することを特徴とする。
【００１３】
請求項２に記載の発明は、請求項１に記載の画像形成装置において、
前記画像形成部は、第１の画像形成部と、その用紙搬送方向下流側に第２の画像形成部とを有し、前記スイッチバック反転部または前記セイムエッジ反転部の何れか一方が前記第１の画像形成部と前記第２の画像形成部との間に配置され、他方が前記第２の画像形成部の下流側に配置されることを特徴とする。
【００１４】
請求項３に記載の発明は、請求項２に記載の画像形成装置において、
前記画像形成装置は、制御部と、前記第２の画像形成部の下流側に配置される前記スイッチバック反転部または前記セイムエッジ反転部の下流側に後処理部とを更に有し、
前記制御部は、前記後処理部の後処理条件に応じてセイムエッジ反転及び／またはスイッチバック反転の動作の有無を制御する。
【００１５】
請求項４に記載の発明は、請求項３に記載の画像形成装置において、
前記後処理部の後処理条件が、用紙の先端基準か、後端基準かに応じてセイムエッジ反転及び／またはスイッチバック反転の動作の有無を制御することを特徴とする。
【００１６】
請求項５に記載の発明は、請求項１から４のいずれか一項に記載の画像形成装置において、
前記用紙がインデックス紙であることを特徴とする。
【００１７】
請求項６に記載の発明は、用紙に画像形成を行い画像形成された用紙に対して後処理を行う画像形成システムであって、
用紙に画像形成する第１の画像形成装置と、
前記第１の画像形成装置の用紙搬送方向下流側に設けられた、用紙に画像形成する第２の画像形成装置と、
前記第１の画像形成装置と前記第２の画像形成装置との間に設けられた用紙の搬送方向に平行に対向する２辺を入れ替えるセイムエッジ反転するセイムエッジ反転装置または搬送方向に垂直に対向する２辺を入れ替えるスイッチバック反転するスイッチバック反転装置のいずれか一方の第１の反転装置と、
前記第２の画像形成装置の用紙搬送方向下流側に設けられた、前記セイムエッジ反転装置または前記スイッチバック反転装置のいずれか他方の第２の反転装置と、
前記後処理部の後処理条件に応じて、前記第１の画像形成装置、前記セイムエッジ反転装置、前記第２の画像形成装置及び前記スイッチバック反転装置の動作を制御する制御部と、
前記第２の反転装置から出力された用紙に後処理を施す後処理装置と、
前記後処理装置の後処理条件に応じて、前記第１の画像形成装置、前記セイムエッジ反転装置、前記第２の画像形成装置及び前記スイッチバック反転装置の動作を制御する制御部と、
を備えることを特徴とする。
【００１８】
請求項７に記載の発明は、請求項６に記載の画像形成システムにおいて、
前記制御部は、前記用紙に対する前記後処理装置の後処理が先端基準であるか後端基準であるかに応じて、前記第１の画像形成装置及び前記第２の画像形成装置による当該用紙への表面及び裏面の画像形成と、前記スイッチバック反転装置による当該用紙へのスイッチバック反転及び前記セイムエッジ反転装置の動作の有無とを制御することを特徴とする。
【００１９】
請求項８に記載の発明は、請求項６又は７に記載の画像形成システムにおいて、
前記第１の反転装置が前記セイムエッジ反転装置であり、前記第２の反転装置が前記スイッチバック反転装置であることを特徴とする。
【００２０】
請求項９に記載の発明は、請求項８に記載の画像形成システムにおいて、
用紙がインデックス紙である場合に、前記第１の画像形成装置に対して搬送方向先端側にタブが位置しない状態でインデックス紙を給紙し、
前記制御部は、前記インデックス紙のフェースダウン出力を行うにあたり、当該インデックス紙に対する前記後処理装置の後処理が後端基準である場合に、前記第１の画像形成装置に当該インデックス紙の裏面へ画像形成させ、前記セイムエッジ反転装置に当該インデックス紙をセイムエッジ反転させ、前記第２の画像形成装置に当該インデックス紙の表面へ画像形成させ、前記スイッチバック反転装置に当該インデックス紙をスイッチバック反転させて当該インデックス紙のタブを搬送方向先端側に位置するように制御することを特徴とする。
【００２１】
請求項１０に記載の発明は、請求項８に記載の画像形成システムにおいて、
用紙がインデックス紙である場合に、前記第１の画像形成装置に対して搬送方向先端側にタブが位置しない状態でインデックス紙を給紙し、
前記制御部は、前記インデックス紙のフェースダウン出力を行うにあたり、当該インデックス紙に対する前記後処理装置の後処理が先端基準である場合に、前記第１の画像形成装置に当該インデックス紙の表面へ画像形成させ、前記セイムエッジ反転装置に当該インデックス紙をセイムエッジ反転させ、前記第２の画像形成装置に当該インデックス紙の裏面へ画像形成させて当該インデックス紙のタブを搬送方向後端側に位置するように制御することを特徴とする。
【００２２】
請求項１１に記載の発明は、請求項８に記載の画像形成システムにおいて、
用紙がインデックス紙である場合に、前記第１の画像形成装置に対して搬送方向先端側にタブが位置しない状態でインデックス紙を給紙し、
前記制御部は、前記インデックス紙のフェースアップ出力を行うにあたり、当該インデックス紙に対する前記後処理装置の後処理が後端基準である場合に、前記第１の画像形成装置に当該インデックス紙の表面へ画像形成させ、前記セイムエッジ反転装置に当該インデックス紙をセイムエッジ反転させ、前記第２の画像形成装置に当該インデックス紙の裏面へ画像形成させ、前記スイッチバック反転装置に当該インデックス紙をスイッチバック反転させて当該インデックス紙のタブを搬送方向先端側に位置するように制御することを特徴とする。
【００２３】
請求項１２に記載の発明は、請求項８に記載の画像形成システムにおいて、
用紙がインデックス紙である場合に、前記第１の画像形成装置に対して搬送方向先端側にタブが位置しない状態でインデックス紙を給紙し、
前記制御部は、前記インデックス紙のフェースアップ出力を行うにあたり、当該インデックス紙に対する前記後処理装置の後処理が先端基準である場合に、前記第１の画像形成装置に当該インデックス紙の裏面へ画像形成させ、前記セイムエッジ反転装置に当該インデックス紙をセイムエッジ反転させ、前記第２の画像形成装置に当該インデックス紙の表面へ画像形成させて当該インデックス紙のタブを搬送方向後端側に位置するように制御することを特徴とする。
【発明の効果】
【００２４】
本発明によれば、タブを有する用紙に対して、後処理に応じてタブ位置を制御できる。
【図面の簡単な説明】
【００２５】
【図１】本発明の実施の形態の画像形成システムの構成を示す図である。
【図２】第１の画像形成装置、セイムエッジ反転装置及び第２の画像形成装置の内部構成を示す図である。
【図３】第１の画像形成装置及びセイムエッジ反転装置の機能構成を示すブロック図である。
【図４】第２の画像形成装置及び後処理装置の機能構成を示すブロック図である。
【図５】トレイセット面設定画面を示す図である。
【図６】印刷処理を示すフローチャートである。
【図７】図６の印刷処理の給紙トレイ選択処理を示すフローチャートである。
【図８】図６の印刷処理の第１画像形成処理を示すフローチャートである。
【図９】図６の印刷処理の第２画像形成処理を示すフローチャートである。
【図１０】図６の印刷処理のスイッチバック反転制御処理を示すフローチャートである。
【図１１】（ａ）は、後端基準の後処理を伴うフェースダウン出力でのインデックス紙の搬送手順を示す図である。（ｂ）は、後端基準の後処理を伴うフェースダウン出力での通常紙の搬送手順を示す図である。
【図１２】（ａ）は、先端基準の後処理を伴うフェースダウン出力でのインデックス紙の搬送手順を示す図である。（ｂ）は、先端基準の後処理を伴うフェースダウン出力での通常紙の搬送手順を示す図である。
【図１３】（ａ）は、後端基準の後処理を伴うフェースアップ出力でのインデックス紙の搬送手順を示す図である。（ｂ）は、後端基準の後処理を伴うフェースアップ出力での通常紙の搬送手順を示す図である。
【図１４】（ａ）は、先端基準の後処理を伴うフェースアップ出力でのインデックス紙の搬送手順を示す図である。（ｂ）は、先端基準の後処理を伴うフェースアップ出力での通常紙の搬送手順を示す図である。
【発明を実施するための形態】
【００２６】
添付図面を参照して本発明に係る実施の形態を詳細に説明する。なお、本発明は、図示例に限定されるものではない。
【００２７】
先ず、図１を参照して、本実施の形態の画像形成システム１の全体構成を説明する。図１は、本実施の形態の画像形成システム１の全体構成を示す図である。
【００２８】
図１に示すように、本実施の形態の画像形成システム１は、画像形成装置１０と、セイムエッジ反転装置２０と、画像形成装置３０と、後処理装置４０と、を備える。画像形成装置１０、セイムエッジ反転装置２０、画像形成装置３０、後処理装置４０は、用紙搬送方向の上流から下流へ順に連結されている。
【００２９】
画像形成装置１０は、電子写真方式により用紙に画像を形成する装置であり、用紙を供給し、その用紙に画像形成する。また、画像形成装置１０は、ＰＬＵ（Paper Feed Unit）１０ａを備える。ＰＬＵ１０ａは、用紙を供給する用紙供給装置である。セイムエッジ反転装置２０は、画像形成装置１０から排出された用紙をセイムエッジ反転する。画像形成装置３０は、電子写真方式により用紙に画像を形成する装置であり、セイムエッジ反転装置２０から排出された用紙に画像形成する。
【００３０】
後処理装置４０は、画像形成装置３０から排出された用紙に後処理を施して排紙する。後処理装置４０は、用紙の排紙先であるメイントレイ４５ａと、サブトレイ４６ａと、を備える。本実施の形態では、後処理装置４０が、１台であるものとして説明するが、複数台の後処理装置からなる構成としてもよい。
【００３１】
次いで、図２を参照して、画像形成装置１０、セイムエッジ反転装置２０、画像形成装置３０及び後処理装置４０の内部構成を説明する。図２は、画像形成装置１０、セイムエッジ反転装置２０及び画像形成装置３０の内部構成を示す図である。
【００３２】
ＰＬＵ１０ａは、給紙トレイ部１５１ａを備える。画像形成装置１０は、ＰＬＵ１０ａの他に、給紙トレイ部１５１と、画像形成部１７Ａと、定着部１７Ｂと、原稿搬送部１８と、画像読取部１９と、を備える。
【００３３】
給紙トレイ部１５１ａは、用紙を収納する３つの給紙トレイを有する。給紙トレイ部１５１は、用紙を収納する２つの給紙トレイを有する。給紙トレイ部１５１，１５１ａの給紙トレイのそれぞれには、用紙のサイズ、種類等に応じて、異なる用紙が収納される。特に、給紙トレイ部１５１，１５１ａには、インデックス紙及び通常紙も収納可能である。なお、給紙トレイ部１５１，１５１ａの給紙トレイ数は、図２の給紙トレイ数に限定されるものではない。
【００３４】
操作表示部１３は、ユーザーからの操作入力を受け付けて操作情報を得るとともに、各種表示情報を表示する。
【００３５】
画像形成部１７Ａは、ドラム状の感光体の周囲に、帯電部、露光部、現像部、転写部、分離部及びクリーニング部が配置された電子写真プロセスの各部を有する。画像形成部１７Ａは、これらの電子写真プロセスの各部により、感光体に、帯電、露光、現像を行い、感光体上にトナー像を形成して、このトナー像を用紙に転写して画像形成し、感光体上に残ったトナー像を除去する。
【００３６】
定着部１７Ｂは、加熱ローラー、加圧ローラーを有する。定着部１７Ｂは、加熱ローラー及び加圧ローラーにより、画像形成部１７Ａによりトナー像が転写された用紙を加熱及び加圧して、用紙に画像を定着させる。
【００３７】
原稿搬送部１８は、原稿を１枚ずつ画像読取部１９の画像読取位置に搬送する。画像読取部１９は、ＣＣＤ等の撮像素子を有し、原稿搬送部１８により画像読取位置に搬送された原稿の画像を撮像素子により読み取り、原稿の画像データを得る。
【００３８】
セイムエッジ反転装置２０は、セイムエッジ反転部２４を備える。セイムエッジ反転部２４は、画像形成装置１０から排紙された用紙をセイムエッジ反転する。
【００３９】
画像形成装置３０は、給紙トレイ部３５１と、画像形成部３７Ａと、定着部３７Ｂと、スイッチバック反転装置としてのスイッチバック反転部３８と、を備える。
【００４０】
給紙トレイ部３５１は、用紙を収納する２つの給紙トレイを有する。給紙トレイ部３５１の給紙トレイのそれぞれには、用紙のサイズ、種類等に応じて、異なる用紙が収納される。なお、給紙トレイ部３５１の給紙トレイ数は、図２の給紙トレイ数に限定されるものではない。
【００４１】
画像形成部３７Ａ、定着部３７Ｂは、画像形成部１７Ａ、定着部１７Ｂと同様の構成である。スイッチバック反転部３８は、搬送ローラー等により構成され、用紙を一度所定の搬送方向に引き込んだ後、その搬送方向と逆の方向に搬送することにより、用紙の表裏を反転する。
【００４２】
画像形成システム１で用紙に両面画像形成をする場合の用紙の搬送経路を説明する。先ず、給紙トレイ部１５１，１５１ａの給紙トレイに収納された用紙は、１枚ずつ取り出されて、搬送ローラー等からなる搬送経路を搬送されて、レジストローラー１６ａに突き当てられる。そして、突き当てられた用紙は、レジストローラー１６ａにより、タイミングが調整されて、画像形成部１７Ａ及び定着部１７Ｂに搬送される。この搬送された用紙は、画像形成部１７Ａ及び定着部１７Ｂにより片面に画像形成及び定着がなされる。
【００４３】
ここで、給紙トレイ部１５１，１５１ａの給紙トレイからインデックス紙が給紙された場合に、インデックス紙の先端がレジストローラー１６ａに突き当てられる。このため、インデックス紙の画像位置の精度を高めるように、インデックス紙の搬送方向の先端がタブのない辺に設定される必要がある。
【００４４】
そして、画像形成装置１０で片面が画像生成された用紙は、セイムエッジ反転装置２０に搬送される。セイムエッジ反転装置２０に搬送された用紙は、セイムエッジ反転部２４によりセイムエッジ反転され、あるいは反転されずに、排出される。
【００４５】
そして、セイムエッジ反転装置２０から排出された用紙は、画像形成装置３０に搬送される。画像形成装置３０に搬送された用紙は、レジストローラー３６ａに突き当てられる。そして、突き当てられた用紙は、レジストローラー３６ａにより、タイミングが調整されて、画像形成部３７Ａ及び定着部３７Ｂに搬送される。搬送された用紙は、画像形成部３７Ａ及び定着部３７Ｂにより、画像形成されていない片面に画像形成及び定着がなされる。
【００４６】
ここで、用紙がインデックス紙である場合に、インデックス紙の先端がレジストローラー３６ａに突き当てられる。このため、インデックス紙の画像位置の精度を高めるように、インデックス紙の搬送方向の先端がタブのない辺に設定される必要がある。
【００４７】
そして、画像形成装置３０で画像形成された用紙は、スイッチバック反転部３８により、スイッチバック反転され、あるいは反転されずに、排出され、後処理装置４０に搬送される。後処理装置４０に搬送された用紙は、後処理装置４０により適宜後処理が施されて最終的な印刷物として排紙される。
【００４８】
後処理装置４０の後処理には、先端基準の後処理と、後端基準の後処理と、がある。このため、画像形成装置３０から後処理装置４０への用紙搬送時に、後処理装置４０で用紙に施す後処理に応じて、当該用紙の搬送方向の先端をタブのない辺にするか後端をタブのない辺にするかを、スイッチバック反転部３８によるスイッチバック反転の有無により設定している。
【００４９】
特に後処理装置４０は、画像形成システム１の導入後にも、他の後処理装置と交換したり、他の後処理装置を連結したりして、構成を変更することが可能である。変更後の後処理装置４０の後処理も、先端基準の後処理、又は後端基準の後処理となる。
【００５０】
なお、セイムエッジ反転部２４は、原理的には、スイッチバック反転部３８よりも用紙の生産性が高い、つまり、用紙の搬送速度が高い。このため、例えば、画像形成装置３０の搬送速度を、セイムエッジ反転装置２０の搬送速度の２倍等、高い搬送速度に設定する。
【００５１】
また、後処理装置４０の搬送速度が画像形成装置３０の搬送速度よりも遅い場合に、スイッチバック反転部３８により、２枚重ね等、複数毎の用紙を重ねてから後処理装置４０に排出する構成としてもよい。
【００５２】
次いで、図３及び図４を参照して、画像形成システム１の機能構成を説明する。図３は、画像形成装置１０及びセイムエッジ反転装置２０の機能構成を示すブロック図である。図４は、画像形成装置３０及び後処理装置４０の機能構成を示すブロック図である。
【００５３】
図３に示すように、画像形成装置１０は、制御部１１と、通信部１２と、操作表示部１３と、記憶部１４と、用紙搬送部としての用紙供給部１５、搬送部１６と、画像形成部１７Ａと、定着部１７Ｂと、原稿搬送部１８と、画像読取部１９と、を備える。画像形成装置１０の各部は、バスを介して接続されている。
【００５４】
制御部１１は、画像形成装置１０の各部を制御する。制御部１１は、ＣＰＵ（Central Processing Unit）１１Ａと、ＲＡＭ（Random Access Memory）１１Ｂと、ＲＯＭ（Read Only Memory）１１Ｃと、を備える。ＲＯＭ１１Ｃから読み出されてＲＡＭ１１Ｂに展開された各種プログラムとＣＰＵ１１Ａとの協働で、制御部１１は、各種処理を行う。ＲＯＭ１１Ｃには、印刷プログラムが記憶されている。
【００５５】
通信部１２は、制御部１１により制御され、セイムエッジ反転装置２０の通信部２２とシリアル通信を行っている。
【００５６】
操作表示部１３は、制御部１１により制御され、操作部１３Ａと、表示部１３Ｂと、を備える。操作部１３Ａは、タッチパネル等で構成され、ユーザーからのタッチ入力を受け付け、その操作情報を取得して制御部１１に出力する。操作情報は、例えば、用紙に施す後処理の種類（パンチ穴あけ処理、シフト処理、ステープル処理、折り処理、等）や、用紙サイズ等の印刷の設定情報である。表示部１３Ｂは、ＬＣＤ（Liquid Crystal Display）等の表示パネルを有し、制御部１１からの制御により、各種表示情報を表示パネルに表示する。
【００５７】
記憶部１４は、制御部１１により制御され、画像読取部１９から入力された原稿画像データを含むジョブデータや、画像形成装置１０にネットワーク接続されたＰＣ（Personal Computer）等の外部機器（図示略）から投入されたジョブのジョブデータ等を記憶する記憶部である。
【００５８】
用紙供給部１５は、制御部１１により制御され、給紙トレイ部１５１，１５１ａの複数の給紙トレイから１つを選択し、選択した給紙トレイに収納された用紙を１枚ずつ取り出して画像形成部１７Ａへ供給する。
【００５９】
搬送部１６は、制御部１１により制御され、用紙搬送の搬送ローラー、レジストローラー１６ａを有し、搬送ローラー、レジストローラー１６ａの駆動により、用紙供給部１５から供給された用紙を、画像形成部１７Ａ、定着部１７Ｂを介して排出口まで搬送する。
【００６０】
画像形成部１７Ａは、制御部１１により制御され、例えば、画像読取部１９により入力された原稿画像情報や、外部機器から投入されたジョブの画像情報に基づいて用紙に画像を形成する。
【００６１】
定着部１７Ｂは、制御部１１により制御され、画像形成部１７Ａにより用紙上に形成されたトナー画像を加熱圧着することにより定着する。
【００６２】
原稿搬送部１８は、制御部１１により制御され、原稿を画像読取部１９に向けて搬送する。
【００６３】
画像読取部１９は、制御部１１により制御され、原稿搬送部１８により搬送された原稿の画像を読み取り、原稿画像データを制御部１１に出力する。
【００６４】
セイムエッジ反転装置２０は、制御部２１と、通信部２２と、用紙搬送部としての切替搬送部２３と、セイムエッジ反転部２４と、を備える。セイムエッジ反転装置２０の各部は、バスを介して接続されている。
【００６５】
制御部２１は、セイムエッジ反転装置２０の各部を制御する。制御部２１は、ＣＰＵ２１Ａと、ＲＡＭ２１Ｂと、ＲＯＭ２１Ｃと、を備える。ＲＯＭ２１Ｃから読み出されてＲＡＭ２１Ｂに展開された各種プログラムとＣＰＵ２１Ａとの協働で、制御部２１は、各種処理を行う。
【００６６】
通信部２２は、制御部２１により制御され、画像形成装置１０の通信部１２及び画像形成装置３０の通信部３２とシリアル通信を行っている。
【００６７】
切替搬送部２３は、制御部２１により制御され、用紙搬送用の搬送ローラー、搬送経路の切替部を有し、搬送ローラー、切替部の駆動により、セイムエッジ反転部２４を介する搬送経路と、セイムエッジ反転部２４を介しないバイパスとしての搬送経路と、を切り替え、画像形成装置１０から搬送された用紙を前記切り替えた搬送経路上で搬送する。
【００６８】
セイムエッジ反転部２４は、制御部２１により制御され、ベルト等により用紙をセイムエッジ反転する。セイムエッジ反転部２４では、画像形成装置１０から画像形成装置３０への用紙搬送方向を軸として、用紙が半回転される。
【００６９】
図４に示すように、画像形成装置３０は、制御部３１と、通信部３２と、記憶部３４と、用紙供給部３５と、用紙搬送部としての切替搬送部３６と、画像形成部３７Ａと、定着部３７Ｂと、スイッチバック反転部３８と、を備える。画像形成装置３０の各部は、バスを介して接続されている。
【００７０】
制御部３１は、画像形成装置３０の各部を制御する。制御部３１は、ＣＰＵ３１Ａと、ＲＡＭ３１Ｂと、ＲＯＭ３１Ｃと、を有している。ＲＯＭ３１Ｃから読み出されてＲＡＭ３１Ｂに展開された各種プログラムとＣＰＵ３１Ａとの協働で、制御部３１は、各種処理を行う。
【００７１】
通信部３２は、制御部３１により制御され、セイムエッジ反転装置２０の通信部２２及び後処理装置４０の通信部４２とシリアル通信を行っている。
【００７２】
記憶部３４は、制御部３１により制御され、原稿画像データを含むジョブデータや、外部機器から投入されたジョブのジョブデータ等、画像形成部３７Ａで画像形成するための画像データ等を記憶する記憶部である。
【００７３】
用紙供給部３５は、制御部３１により制御され、給紙トレイ部３５１の複数の給紙トレイから１つを選択し、選択した給紙トレイに収納された用紙を１枚ずつ取り出して画像形成部３７Ａへ供給する。
【００７４】
切替搬送部３６は、制御部３１により制御され、用紙搬送用の搬送ローラー、レジストローラー３６ａ、搬送経路の切替部を有し、搬送ローラー、レジストローラー３６ａ、切替部の駆動により、セイムエッジ反転装置２０から搬送された用紙又は用紙供給部３５から供給された用紙を、画像形成部３７Ａ、定着部３７Ｂを介して搬送し、スイッチバック反転部３８を介する搬送経路と、スイッチバック反転部３８を介しないバイパスとしての搬送経路と、を切り替え、定着部３７Ｂから搬送された用紙を前記切り替えた搬送経路で排出口まで搬送する。
【００７５】
スイッチバック反転部３８は、制御部３１により制御され、用紙の搬送経路の搬送ローラー等を有し、搬送ローラーの駆動により、用紙を所定の搬送経路に引き込んで停止させ、その後に当該所定経路を逆方向に搬送させてスイッチバック反転して排出口へ搬送する。
【００７６】
後処理装置４０は、制御部４１と、通信部４２と、切替搬送部４３と、後処理部４４と、メイントレイ排紙部４５と、サブトレイ排紙部４６と、を備える。後処理装置４０の各部は、バスを介して接続されている。
【００７７】
制御部４１は、後処理装置４０の各部を制御する。制御部４１は、ＣＰＵ４１Ａと、ＲＡＭ４１Ｂと、ＲＯＭ４１Ｃと、を有している。ＲＯＭ４１Ｃから読み出されてＲＡＭ４１Ｂに展開された各種プログラムとＣＰＵ４１Ａとの協働で、制御部４１は、各種処理を行う。
【００７８】
通信部４２は、制御部４１により制御され、画像形成装置３０の通信部３２とシリアル通信を行っている。
【００７９】
切替搬送部４３は、制御部４１により制御され、用紙搬送用の搬送ローラー、搬送経路の切替部を有し、搬送ローラー、切替部の駆動により、後処理部４４を介する搬送経路と、後処理部４４を介しないバイパスとしての搬送経路と、を切り替え、画像形成装置３０から搬送された用紙を前記切り替えた搬送経路で搬送し、メイントレイ排紙部４５又はサブトレイ排紙部４６へ搬送する。
【００８０】
後処理部４４は、制御部４１により制御され、切替搬送部４３により画像形成装置３０から搬送された用紙にパンチ穴あけ処理、シフト処理、ステープル処理、折り処理等の各種後処理を施す。後処理部４４の後処理は、用紙の突き当てを用紙搬送方向の用紙の先端にするか後端にするかにより、先端基準の後処理であるか、後端基準の後処理であるかが予め決まっている。後処理部４４の後処理としては、中綴じ処理、くるみ製本処理等としてもよい。
【００８１】
メイントレイ排紙部４５は、制御部４１により制御され、切替搬送部４３により搬送された用紙をメイントレイ４５ａに排紙する。サブトレイ排紙部４６は、制御部４１により制御され、切替搬送部４３により搬送された用紙をサブトレイ４６ａに排紙する。
【００８２】
次に、図５〜図１４（ｂ）を参照して、画像形成システム１の動作を説明する。図５は、トレイセット面設定画面１３０を示す図である。図６は、印刷処理を示すフローチャートである。図７は、図６の印刷処理の給紙トレイ選択処理を示すフローチャートである。図８は、図６の印刷処理の第１画像形成処理を示すフローチャートである。図９は、図６の印刷処理の第２画像形成処理を示すフローチャートである。図１０は、図６の印刷処理のスイッチバック反転制御処理を示すフローチャートである。
【００８３】
図１１（ａ）は、後端基準の後処理を伴うフェースダウン出力でのインデックス紙の搬送手順を示す図である。図１１（ｂ）は、後端基準の後処理を伴うフェースダウン出力での通常紙の搬送手順を示す図である。図１２（ａ）は、先端基準の後処理を伴うフェースダウン出力でのインデックス紙の搬送手順を示す図である。図１２（ｂ）は、先端基準の後処理を伴うフェースダウン出力での通常紙の搬送手順を示す図である。図１３（ａ）は、後端基準の後処理を伴うフェースアップ出力でのインデックス紙の搬送手順を示す図である。図１３（ｂ）は、後端基準の後処理を伴うフェースアップ出力での通常紙の搬送手順を示す図である。図１４（ａ）は、先端基準の後処理を伴うフェースアップ出力でのインデックス紙の搬送手順を示す図である。図１４（ｂ）は、先端基準の後処理を伴うフェースアップ出力での通常紙の搬送手順を示す図である。なお、図１１（ａ）〜図１４（ｂ）において、矢印は、用紙の搬送方向である。
【００８４】
画像形成システム１において、インデックス紙及び通常紙が混在した用紙束を画像形成して排出する動作を行うケースを説明する。予め、ユーザーにより、インデックス紙及び通常紙が給紙トレイ部１５１，１５１ａの各給紙トレイにセットされる。
【００８５】
このとき、給紙トレイに対するインデックス紙の向き、表裏及び順番が適切になるように、各給紙トレイにインデックス紙がセットされる。つまり、インデックス紙の搬送方向の先端がタブを有しない辺となるように、給紙トレイに対するインデックス紙の向きが設定される。また、画像形成部１７Ａでの画像形成面がインデックス紙の表面となるように、所定の給紙トレイにインデックス紙がセットされ、画像形成部１７Ａでの画像形成面の裏の面がインデックス紙の表面となるように、他の給紙トレイにインデックス紙がセットされる。
【００８６】
さらに、タブの位置の異なる一連のインデックス紙の束を給紙トレイにセットするにあたり、給紙トレイに収納された用紙の上面が画像形成部１７Ａの画像形成面となり、画像形成装置１０でインデックス紙の表面を画像形成する場合には、給紙トレイの上面から下面に正順に並ぶように、給紙トレイにインデックス紙がセットされる。例えば、正順の５タブ束のインデックス紙Ｉ１，Ｉ２，Ｉ３，Ｉ４，Ｉ５，Ｉ１…を給紙トレイにセットする場合に、給紙トレイの上面から下面へ、インデックス紙Ｉ１，Ｉ２，Ｉ３，Ｉ４，Ｉ５，Ｉ１…の順になるようにインデックス紙がセットされる。
【００８７】
タブの位置の異なる一連のインデックス紙の束を給紙トレイにセットするにあたり、給紙トレイに収納された用紙の上面が画像形成部１７Ａの画像形成面となり、画像形成装置１０でインデックス紙の裏面を画像形成する場合には、給紙トレイの上面から下面に逆順に並ぶように、給紙トレイにインデックス紙がセットされる。例えば、正順の５タブ束のインデックス紙Ｉ１，Ｉ２，Ｉ３，Ｉ４，Ｉ５，Ｉ１…を給紙トレイにセットする場合に、給紙トレイの上面から下面へ、インデックス紙Ｉ５，Ｉ４，Ｉ３，Ｉ２，Ｉ１，Ｉ５…の順になるようにインデックス紙がセットされる。給紙トレイに収納された用紙の下面が画像形成部１７Ａの画像形成面となる場合には、給紙トレイにセットされるインデックス紙順も逆となる。
【００８８】
また、インデックス紙と同様に、通常紙に向き、表裏及び順番がある場合には、給紙トレイに対する通常紙の向き、表裏及び順番が適切になるように、各給紙トレイに通常紙がセットされる。例えば、向きを考慮する場合とは、パンチ穴があけられている通常紙を給紙トレイにセットする場合である。インデックス紙と通常紙とは、別々の給紙トレイにセットされる。
【００８９】
そして、操作部１３Ａを介してユーザーから各給紙トレイの用紙のセット状態が設定入力される。具体的には、トレイセット面設定画面が表示部１３Ｂに表示され、トレイセット面設定画面に応じて、給紙トレイの選択情報と、選択された給紙トレイへセットした用紙の種類、サイズ、表裏の状態の情報がユーザーから入力される。
【００９０】
例えば、給紙トレイ部１５１ａの１番目の給紙トレイＴ１が選択された場合に、図５に示すトレイセット面設定画面１３０が表示される。トレイセット面設定画面１３０は、サイズ種類入力領域１３１と、トレイセット面入力領域１３２と、用紙サイズ入力領域１３３と、タブ数入力領域１３４と、を有する。
【００９１】
サイズ種類入力領域１３１は、給紙トレイＴ１にセットされた用紙のサイズの種類を入力するための複数のボタンを有する。サイズ種類入力領域１３１のボタンは、定形サイズ、不定形サイズ、ワイド紙、インデックス紙、はがきの入力のボタンである。サイズ種類入力領域１３１でインデックス紙のボタンが押下入力されると、トレイセット面入力領域１３２、用紙サイズ入力領域１３３及びタブ数入力領域１３４が表示される。
【００９２】
トレイセット面入力領域１３２は、給紙トレイＴ１にセットされたインデックス紙の表面が給紙トレイＴ１の上面に対応するか下面に対応するかを入力するための２つのボタンを有する。用紙サイズ入力領域１３３は、給紙トレイＴ１にセットされたインデックス紙の具体的なサイズを入力するための複数のボタンを有する。タブ数入力領域１３４は、給紙トレイＴ１にセットされたインデックス紙がタブの位置の異なる一連のインデックス紙の束である場合に、そのタブ数を入力するための数字ボタンを有する。例えば、給紙トレイＴ１にセットされたインデックス紙束が５タブ束である場合に、タブ数入力領域１３４の５のボタンが押下入力される。
【００９３】
操作部１３Ａを介して入力された各給紙トレイの用紙のセット状態の設定情報は、記憶部１４に記憶される。
【００９４】
そして、画像形成システム１において、図６〜図１０に示す印刷処理が実行される。印刷処理は、用紙の両面を画像形成して、インデックス紙及び通常紙が混在した用紙束を印刷する処理である。画像形成装置１０において、外部機器からインデックス紙及び通常紙が混在した用紙束の印刷のジョブが投入されたこと、又はユーザーからの操作部１３Ａへの操作により原稿の複写によるインデックス紙及び通常紙が混在した用紙束の印刷のジョブが投入されたことをトリガとして、ＲＯＭ１１Ｃから読み出されてＲＡＭ１１Ｂに展開された印刷プログラムとＣＰＵ１１Ａとの協働により、制御部１１が、印刷処理を実行する。
【００９５】
投入されたジョブのジョブデータには、印刷する画像データとともに、少なくとも、印刷する用紙の順番ごとに、各用紙がインデックス用紙であるか通常紙であるかを示す用紙識別情報と、当該各用紙に施す後処理を示す後処理識別情報と、当該各用紙をフェースダウン出力するかフェースアップ出力するかを示すフェース出力情報と、を含むものとする。
【００９６】
フェースダウン出力とは、後処理装置４０のメイントレイ４５ａ又はサブトレイ４６ａへ表面が下面になるように用紙を排出する方式である。フェースアップ出力とは、後処理装置４０のメイントレイ４５ａ又はサブトレイ４６ａへ表面が上面になるように用紙を排出する方式である。
【００９７】
図６に示すように、先ず、制御部１１は、給紙トレイ選択処理を実行する（ステップＳ１１）。ここで、図７を参照して、ステップＳ１１の給紙トレイ選択処理を説明する。
【００９８】
先ず、制御部１１は、次に印刷する用紙の後処理モードが後端基準であるか否かを判別する（ステップＳ３１）。ステップＳ３１では、例えば、後処理識別情報と、後処理装置４０の後処理が先端基準か後端基準かの情報とが対応付けられた後処理情報テーブルが予め設定されて記憶部１４に記憶されており、制御部１１が、後処理情報テーブルと、投入されたジョブデータに含まれる後処理識別情報とを参照して、次の用紙が先端基準か後端基準かを判別する。以下、制御部１１が、後処理モードが後端基準であるか否かを、後処理情報テーブルを用いて判別する例を説明する。しかし、これに限定されるものではなく、制御部１１が、通信部１２，２２，３２，４２を介して、用紙に施す後処理装置４０の後処理が先端基準か後端基準かの情報を制御部４１に要求して受信し、当該受信した先端基準か後端基準かの情報と、投入されたジョブデータに含まれる後処理識別情報とに基づいて、後処理モードが後端基準であるか否かを判別する構成としてもよい。
【００９９】
後端基準である場合（ステップＳ３１；ＹＥＳ）、制御部１１は、投入されたジョブデータに含まれるフェース出力情報を参照して、次の用紙がフェースダウン出力であるか否かを判別する（ステップＳ３２）。フェースダウン出力である場合（ステップＳ３２；ＹＥＳ）、制御部１１は、投入されたジョブデータに含まれる用紙識別情報を参照して、次の用紙がインデックス紙であるか否かを判別する（ステップＳ３３）。インデックス紙である場合（ステップＳ３３；ＹＥＳ）、制御部１１は、記憶部１４に記憶されている用紙のセット状態の設定情報を参照して、裏面が画像形成部１７Ａの画像形成面となるようにインデックス紙がセットされた給紙トレイを選択し（ステップＳ３４）、給紙トレイ選択処理を終了する。ステップＳ３４は、図１１（ａ）の後端基準の後処理でフェースダウン出力のインデックス紙の給紙に対応する。なお、図１１（ａ）〜図１４（ｂ）では、パンチ穴のあけられたインデックス紙及び通常紙を給紙する例とする。
【０１００】
インデックス紙でない場合（ステップＳ３３；ＮＯ）、通常紙であり、制御部１１は、記憶部１４に記憶されている用紙のセット状態の設定情報を参照して、表面が画像形成部１７Ａの画像形成面となるように通常紙がセットされた給紙トレイを選択し（ステップＳ３５）、給紙トレイ選択処理を終了する。ステップＳ３５は、図１１（ｂ）の後端基準の後処理でフェースダウン出力の通常紙の給紙に対応する。
【０１０１】
フェースダウン出力でない場合（ステップＳ３２；ＮＯ）、フェースアップ出力であり、制御部１１は、投入されたジョブデータに含まれる用紙識別情報を参照して、次の用紙がインデックス紙であるか否かを判別する（ステップＳ３６）。インデックス紙である場合（ステップＳ３６；ＹＥＳ）、制御部１１は、記憶部１４に記憶されている用紙のセット状態の設定情報を参照して、表面が画像形成部１７Ａの画像形成面となるようにインデックス紙がセットされた給紙トレイを選択し（ステップＳ３７）、給紙トレイ選択処理を終了する。ステップＳ３７は、図１３（ａ）の後端基準の後処理でフェースアップ出力のインデックス紙の給紙に対応する。
【０１０２】
インデックス紙でない場合（ステップＳ３６；ＮＯ）、通常紙であり、制御部１１は、記憶部１４に記憶されている用紙のセット状態の設定情報を参照して、裏面が画像形成部１７Ａの画像形成面となるように通常紙がセットされた給紙トレイを選択し（ステップＳ３８）、給紙トレイ選択処理を終了する。ステップＳ３８は、図１３（ｂ）の後端基準の後処理でフェースアップ出力の通常紙の給紙に対応する。
【０１０３】
後端基準でない場合（ステップＳ３１；ＮＯ）、先端基準であり、制御部１１は、投入されたジョブデータに含まれるフェース出力情報を参照して、次の用紙がフェースダウン出力であるか否かを判別する（ステップＳ３９）。フェースダウン出力である場合（ステップＳ３９；ＹＥＳ）、制御部１１は、投入されたジョブデータに含まれる用紙識別情報を参照して、次の用紙がインデックス紙であるか否かを判別する（ステップＳ４０）。インデックス紙である場合（ステップＳ４０；ＹＥＳ）、制御部１１は、記憶部１４に記憶されている用紙のセット状態の設定情報を参照して、表面が画像形成部１７Ａの画像形成面となるようにインデックス紙がセットされた給紙トレイを選択し（ステップＳ４１）、給紙トレイ選択処理を終了する。ステップＳ４１は、図１２（ａ）の先端基準の後処理でフェースダウン出力のインデックス紙の給紙に対応する。
【０１０４】
インデックス紙でない場合（ステップＳ４０；ＮＯ）、通常紙であり、制御部１１は、記憶部１４に記憶されている用紙のセット状態の設定情報を参照して、表面が画像形成部１７Ａの画像形成面となるように通常紙がセットされた給紙トレイを選択し（ステップＳ４２）、給紙トレイ選択処理を終了する。ステップＳ４２は、図１２（ｂ）の先端基準の後処理でフェースダウン出力の通常紙の給紙に対応する。
【０１０５】
フェースダウン出力でない場合（ステップＳ３９；ＮＯ）、フェースアップ出力であり、制御部１１は、投入されたジョブデータに含まれる用紙識別情報を参照して、次の用紙がインデックス紙であるか否かを判別する（ステップＳ４３）。インデックス紙である場合（ステップＳ４３；ＹＥＳ）、制御部１１は、記憶部１４に記憶されている用紙のセット状態の設定情報を参照して、裏面が画像形成部１７Ａの画像形成面となるようにインデックス紙がセットされた給紙トレイを選択し（ステップＳ４４）、給紙トレイ選択処理を終了する。ステップＳ４４は、図１４（ａ）の先端基準の後処理でフェースアップ出力のインデックス紙の給紙に対応する。
【０１０６】
インデックス紙でない場合（ステップＳ４３；ＮＯ）、通常紙であり、制御部１１は、記憶部１４に記憶されている用紙のセット状態の設定情報を参照して、裏面が画像形成部１７Ａの画像形成面となるように通常紙がセットされた給紙トレイを選択し（ステップＳ４５）、給紙トレイ選択処理を終了する。ステップＳ４５は、図１４（ｂ）の先端基準の後処理でフェースアップ出力の通常紙の給紙に対応する。
【０１０７】
図６に戻り、制御部１１は、用紙供給部１５に、ステップＳ１１で選択された給紙トレイから次の用紙を１枚給紙させる（ステップＳ１２）。そして、制御部１１は、ステップＳ１２又はＳ２２で給紙された次の用紙に対して、第１画像形成処理を実行する（ステップＳ１３）。
【０１０８】
ここで、図８を参照して、ステップＳ１３の第１画像形成処理を説明する。先ず、制御部１１は、記憶部１４に記憶されている後処理情報テーブルと、投入されたジョブデータに含まれる後処理識別情報とを参照して、次の用紙の後処理モードが後端基準であるか否かを判別する（ステップＳ５１）。
【０１０９】
後端基準である場合（ステップＳ５１；ＹＥＳ）、制御部１１は、投入されたジョブデータに含まれるフェース出力情報を参照して、次の用紙がフェースダウン出力であるか否かを判別する（ステップＳ５２）。フェースダウン出力である場合（ステップＳ５２；ＹＥＳ）、制御部１１は、投入されたジョブデータに含まれる用紙識別情報を参照して、次の用紙がインデックス紙であるか否かを判別する（ステップＳ５３）。インデックス紙である場合（ステップＳ５３；ＹＥＳ）、制御部１１は、搬送部１６、画像形成部１７Ａ、定着部１７Ｂを制御して、ジョブデータ中の画像データの画像を１８０°回転して次の用紙の裏面（偶数頁）に形成させ（ステップＳ５４）、第１画像形成処理を終了する。ステップＳ５４は、図１１（ａ）の後端基準の後処理でフェースダウン出力のインデックス紙の第１画像形成に対応する。第１画像形成で画像形成された次の用紙は、画像形成装置１０から排出され、セイムエッジ反転装置２０に搬送される。
【０１１０】
インデックス紙でない場合（ステップＳ５３；ＮＯ）、通常紙であり、制御部１１は、搬送部１６、画像形成部１７Ａ、定着部１７Ｂを制御して、ジョブデータ中の画像データの画像を１８０°回転して次の用紙の表面（奇数頁）に形成させ（ステップＳ５５）、第１画像形成処理を終了する。ステップＳ５５は、図１１（ｂ）の後端基準の後処理でフェースダウン出力の通常紙の第１画像形成に対応する。
【０１１１】
フェースダウン出力でない場合（ステップＳ５２；ＮＯ）、フェースアップ出力であり、制御部１１は、投入されたジョブデータに含まれる用紙識別情報を参照して、次の用紙がインデックス紙であるか否かを判別する（ステップＳ５６）。インデックス紙である場合（ステップＳ５６；ＹＥＳ）、制御部１１は、搬送部１６、画像形成部１７Ａ、定着部１７Ｂを制御して、ジョブデータ中の画像データの画像を回転せずに次の用紙の表面（奇数頁）に形成させ（ステップＳ５７）、第１画像形成処理を終了する。ステップＳ５７は、図１３（ａ）の後端基準の後処理でフェースアップ出力のインデックス紙の第１画像形成に対応する。
【０１１２】
インデックス紙でない場合（ステップＳ５６；ＮＯ）、通常紙であり、制御部１１は、搬送部１６、画像形成部１７Ａ、定着部１７Ｂを制御して、ジョブデータ中の画像データの画像を回転せずに次の用紙の裏面（偶数頁）に形成させ（ステップＳ５８）、第１画像形成処理を終了する。ステップＳ５８は、図１３（ｂ）の後端基準の後処理でフェースアップ出力の通常紙の第１画像形成に対応する。
【０１１３】
後端基準でない場合（ステップＳ５１；ＮＯ）、先端基準であり、制御部１１は、投入されたジョブデータに含まれるフェース出力情報を参照して、次の用紙がフェースダウン出力であるか否かを判別する（ステップＳ５９）。フェースダウン出力である場合（ステップＳ５９；ＹＥＳ）、制御部１１は、投入されたジョブデータに含まれる用紙識別情報を参照して、次の用紙がインデックス紙であるか否かを判別する（ステップＳ６０）。インデックス紙である場合（ステップＳ６０；ＹＥＳ）、制御部１１は、搬送部１６、画像形成部１７Ａ、定着部１７Ｂを制御して、ジョブデータ中の画像データの画像を回転せずに次の用紙の表面（奇数頁）に形成させ（ステップＳ６１）、第１画像形成処理を終了する。ステップＳ６１は、図１２（ａ）の先端基準の後処理でフェースダウン出力のインデックス紙の第１画像形成に対応する。
【０１１４】
インデックス紙でない場合（ステップＳ６０；ＮＯ）、通常紙であり、制御部１１は、搬送部１６、画像形成部１７Ａ、定着部１７Ｂを制御して、ジョブデータ中の画像データの画像を回転せずに次の用紙の表面（奇数頁）に形成させ（ステップＳ６２）、第１画像形成処理を終了する。ステップＳ６２は、図１２（ｂ）の先端基準の後処理でフェースダウン出力の通常紙の第１画像形成に対応する。
【０１１５】
フェースダウン出力でない場合（ステップＳ５９；ＮＯ）、フェースアップ出力であり、制御部１１は、投入されたジョブデータに含まれる用紙識別情報を参照して、次の用紙がインデックス紙であるか否かを判別する（ステップＳ６３）。インデックス紙である場合（ステップＳ６３；ＹＥＳ）、制御部１１は、搬送部１６、画像形成部１７Ａ、定着部１７Ｂを制御して、ジョブデータ中の画像データの画像を１８０°回転して次の用紙の裏面（偶数頁）に形成させ（ステップＳ６４）、第１画像形成処理を終了する。ステップＳ６４は、図１４（ａ）の先端基準の後処理でフェースアップ出力のインデックス紙の第１画像形成に対応する。
【０１１６】
インデックス紙でない場合（ステップＳ６３；ＮＯ）、通常紙であり、制御部１１は、搬送部１６、画像形成部１７Ａ、定着部１７Ｂを制御して、ジョブデータ中の画像データの画像を１８０°回転して次の用紙の裏面（偶数頁）に形成させ（ステップＳ６５）、第１画像形成処理を終了する。ステップＳ６５は、図１４（ｂ）の先端基準の後処理でフェースアップ出力の通常紙の第１画像形成に対応する。
【０１１７】
図６に戻り、制御部１１は、通信部１２，２２を介する通信により、制御部２１に、次の用紙をセイムエッジ反転させる（ステップＳ１４）。ステップＳ１４で、制御部２１は、切替搬送部２３、セイムエッジ反転部２４を制御して、次の用紙を反転させる。ステップＳ１４は、図１１（ａ）〜図１４（ｂ）のセイムエッジ反転に対応する。
【０１１８】
そして、制御部１１は、次の用紙に対して、第２画像形成処理を実行する（ステップＳ１５）。
【０１１９】
ここで、図９を参照して、ステップＳ１５の第２画像形成処理を説明する。先ず、制御部１１は、記憶部１４に記憶されている後処理情報テーブルと、投入されたジョブデータに含まれる後処理識別情報とを参照して、次の用紙の後処理モードが後端基準であるか否かを判別する（ステップＳ７１）。
【０１２０】
後端基準である場合（ステップＳ７１；ＹＥＳ）、制御部１１は、投入されたジョブデータに含まれるフェース出力情報を参照して、次の用紙がフェースダウン出力であるか否かを判別する（ステップＳ７２）。フェースダウン出力である場合（ステップＳ７２；ＹＥＳ）、制御部１１は、投入されたジョブデータに含まれる用紙識別情報を参照して、次の用紙がインデックス紙であるか否かを判別する（ステップＳ７３）。インデックス紙である場合（ステップＳ７３；ＹＥＳ）、制御部１１は、通信部１２，２２，３２を介する通信により、制御部３１に、ジョブデータ中の画像データの画像を回転せずに次の用紙の表面（奇数頁）に形成させ（ステップＳ７４）、第２画像形成処理を終了する。ステップＳ７１で、制御部３１は、切替搬送部３６、画像形成部３７Ａ、定着部３７Ｂを制御して、次の用紙に画像形成させる。この画像形成は、ステップＳ７５，Ｓ７７，Ｓ７８，Ｓ８１，Ｓ８２，Ｓ８４，Ｓ８５でも同様である。ステップＳ７４は、図１１（ａ）の後端基準の後処理でフェースダウン出力のインデックス紙の第２画像形成に対応する。
【０１２１】
インデックス紙でない場合（ステップＳ７３；ＮＯ）、通常紙であり、制御部１１は、通信部１２，２２，３２を介する通信により、制御部３１に、ジョブデータ中の画像データの画像を回転せずに次の用紙の裏面（偶数頁）に形成させ（ステップＳ７５）、第２画像形成処理を終了する。ステップＳ７５は、図１１（ｂ）の後端基準の後処理でフェースダウン出力の通常紙の第２画像形成に対応する。
【０１２２】
フェースダウン出力でない場合（ステップＳ７２；ＮＯ）、フェースアップ出力であり、制御部１１は、投入されたジョブデータに含まれる用紙識別情報を参照して、次の用紙がインデックス紙であるか否かを判別する（ステップＳ７６）。インデックス紙である場合（ステップＳ７６；ＹＥＳ）、制御部１１は、通信部１２，２２，３２を介する通信により、制御部３１に、ジョブデータ中の画像データの画像を１８０°回転して次の用紙の裏面（偶数頁）に形成させ（ステップＳ７７）、第２画像形成処理を終了する。ステップＳ７７は、図１３（ａ）の後端基準の後処理でフェースアップ出力のインデックス紙の第２画像形成に対応する。
【０１２３】
インデックス紙でない場合（ステップＳ７６；ＮＯ）、通常紙であり、制御部１１は、通信部１２，２２，３２を介する通信により、制御部３１に、ジョブデータ中の画像データの画像を１８０°回転して次の用紙の表面（奇数頁）に形成させ（ステップＳ７８）、第２画像形成処理を終了する。ステップＳ７８は、図１３（ｂ）の後端基準の後処理でフェースアップ出力の通常紙の第２画像形成に対応する。
【０１２４】
後端基準でない場合（ステップＳ７１；ＮＯ）、先端基準であり、制御部１１は、投入されたジョブデータに含まれるフェース出力情報を参照して、次の用紙がフェースダウン出力であるか否かを判別する（ステップＳ７９）。フェースダウン出力である場合（ステップＳ７９；ＹＥＳ）、制御部１１は、投入されたジョブデータに含まれる用紙識別情報を参照して、次の用紙がインデックス紙であるか否かを判別する（ステップＳ８０）。インデックス紙である場合（ステップＳ８０；ＹＥＳ）、制御部１１は、通信部１２，２２，３２を介する通信により、制御部３１に、ジョブデータ中の画像データの画像を１８０°回転して次の用紙の裏面（偶数頁）に形成させ（ステップＳ８１）、第２画像形成処理を終了する。ステップＳ８１は、図１２（ａ）の先端基準の後処理でフェースダウン出力のインデックス紙の第２画像形成に対応する。
【０１２５】
インデックス紙でない場合（ステップＳ８０；ＮＯ）、通常紙であり、制御部１１は、通信部１２，２２，３２を介する通信により、制御部３１に、ジョブデータ中の画像データの画像を１８０°回転して次の用紙の裏面（偶数頁）に形成させ（ステップＳ８２）、第２画像形成処理を終了する。ステップＳ８２は、図１２（ｂ）の先端基準の後処理でフェースダウン出力の通常紙の第２画像形成に対応する。
【０１２６】
フェースダウン出力でない場合（ステップＳ７９；ＮＯ）、フェースアップ出力であり、制御部１１は、投入されたジョブデータに含まれる用紙識別情報を参照して、次の用紙がインデックス紙であるか否かを判別する（ステップＳ８３）。インデックス紙である場合（ステップＳ８３；ＹＥＳ）、制御部１１は、通信部１２，２２，３２を介する通信により、制御部３１に、ジョブデータ中の画像データの画像を回転せずに次の用紙の表面（奇数頁）に形成させ（ステップＳ８４）、第２画像形成処理を終了する。ステップＳ８４は、図１４（ａ）の先端基準の後処理でフェースアップ出力のインデックス紙の第２画像形成に対応する。
【０１２７】
インデックス紙でない場合（ステップＳ８３；ＮＯ）、通常紙であり、制御部１１は、通信部１２，２２，３２を介する通信により、制御部３１に、ジョブデータ中の画像データの画像を回転せずに次の用紙の表面（奇数頁）に形成させ（ステップＳ８５）、第２画像形成処理を終了する。ステップＳ８５は、図１４（ｂ）の先端基準の後処理でフェースアップ出力の通常紙の第２画像形成に対応する。
【０１２８】
図６に戻り、制御部１１は、次の用紙に対応して、スイッチバック反転判定処理を実行する（ステップＳ１６）。
【０１２９】
ここで、図１０を参照して、ステップＳ１６のスイッチバック反転判定処理を説明する。先ず、制御部１１は、記憶部１４に記憶されている後処理情報テーブルと、投入されたジョブデータに含まれる後処理識別情報とを参照して、次の用紙の後処理モードが後端基準であるか否かを判別する（ステップＳ９１）。後端基準でない場合（ステップＳ９１；ＮＯ）、先端基準であり、制御部１１は、スイッチバック反転しないと判定して、スイッチバック反転する旨のスイッチバック反転フラグをセットせずに、スイッチバック反転判定処理を終了する。
【０１３０】
後端基準である場合（ステップＳ９１；ＹＥＳ）、制御部１１は、投入されたジョブデータに含まれる用紙識別情報を参照して、次の用紙がインデックス紙であるか否かを判別する（ステップＳ９２）。インデックス紙でない場合（ステップＳ９２；ＮＯ）、通常紙であり、制御部１１は、スイッチバック反転しないと判定して、スイッチバック反転フラグをセットせずに、スイッチバック反転判定処理を終了する。
【０１３１】
インデックス紙である場合（ステップＳ９２；ＹＥＳ）、制御部１１は、スイッチバック反転すると判定して、スイッチバック反転フラグをセットし（ステップＳ９３）、スイッチバック反転判定処理を終了する。
【０１３２】
図６に戻り、制御部１１は、ステップＳ１６でスイッチバック反転フラグがセットされたか否かを判別する（ステップＳ１７）。スイッチバック反転フラグがセットされた場合（ステップＳ１７；ＹＥＳ）、制御部１１は、スイッチバック反転フラグをリセットする（ステップＳ１８）。そして、制御部１１は、通信部１２，２２，３２を介する通信により、制御部３１に、次の用紙をスイッチバック反転させる（ステップＳ１９）。ステップＳ１８で、制御部３１は、スイッチバック反転部３８を制御して、次の用紙をスイッチバック反転させる。ステップＳ１８は、図１１（ａ）の後端基準の後処理でフェースダウン出力のインデックス紙のスイッチバック反転と、図１３（ａ）の後端基準の後処理でフェースアップ出力のインデックス紙のスイッチバック反転とに対応する。
【０１３３】
そして、制御部１１は、ジョブデータの用紙の順番の情報を参照し、印刷する最後の用紙が印刷されて、印刷を終了するか否かを判別する（ステップＳ２０）。印刷を終了する場合（ステップＳ２０；ＹＥＳ）、印刷処理が終了する。
【０１３４】
印刷を終了しない場合（ステップＳ２０；ＮＯ）、制御部１１は、両面画像形成して印刷した用紙の次の用紙に対して、給紙トレイ選択処理を実行する（ステップＳ２１）。ステップＳ２１は、ステップＳ１１と同様の処理である。そして、制御部１１は、用紙供給部１５に、ステップＳ２２で選択された給紙トレイから次の用紙を１枚給紙させ（ステップＳ２２）、ステップＳ１３に移行される。
【０１３５】
なお、ステップＳ１５で第２画像形成処理が実行された後、ステップＳ１９でスイッチバック反転処理が実行された用紙、又はスイッチバック反転処理が実行されていない用紙は、画像形成装置３０から排出される。そして、制御部１１は、投入されたジョブデータに含まれる後処理識別情報を参照して、通信部１２，２２，３２，４２を介する通信により、制御部４１に、画像形成装置３０から排出された次の用紙へ後処理識別情報に対応する後処理を施させる。このとき、制御部４１は、切替搬送部４３、後処理部４４、メイントレイ排紙部４５、サブトレイ排紙部４６を制御して、次の用紙に後処理を施させ、メイントレイ４５ａ又はサブトレイ４６ａから排紙させる。
【０１３６】
また、上記の印刷処理では、用紙の両面の画像形成による印刷を行う構成としたが、用紙の片面の画像形成による印刷を行う場合にも、両面のうちの表面又は裏面のみの画像形成を行うように、上記の印刷処理と同様の動作を行って印刷できる。
【０１３７】
以上、本実施の形態によれば、画像形成システム１は、用紙供給部１５、搬送部１６、切替搬送部２３，３６と、画像形成部１７Ａ，３７Ａを有し、用紙の搬送経路に、セイムエッジ反転部２４及びスイッチバック反転部３８を有する。また、画像形成システム１は、セイムエッジ反転部２４が画像形成部１７Ａと画像形成部３７Ａとの間に配置され、スイッチバック反転部３８が画像形成部３７Ａの下流側に配置される。また、画像形成システム１は、画像形成部３７Ａの下流側のスイッチバック反転部３８の下流側の後処理部４４と、後処理部４４の後処理条件に応じてセイムエッジ反転及び／またはスイッチバック反転の動作の有無を制御する制御部１１と、を有する。このため、タブを有する用紙としてのインデックス紙に対して、後処理部４４の後処理に応じてタブ位置を制御できる。
【０１３８】
また、画像形成システム１は、後処理部の後処理条件が、用紙の先端基準か、後端基準かに応じてセイムエッジ反転及び／またはスイッチバック反転の動作の有無を制御する。このため、タブを有する用紙としてのインデックス紙に対して、後処理部４４の後処理の先端基準又は後端基準に応じてタブ位置を制御できる。
【０１３９】
また、画像形成システム１は、画像形成装置１０と、画像形成装置１０の用紙搬送方向下流側に設けられた画像形成装置３０と、画像形成装置１０と画像形成装置３０との間に設けられたセイムエッジ反転装置２０と、画像形成装置３０の画像形成部３７Ａの用紙搬送方向下流側のスイッチバック反転部３８と、後処理装置４０の後処理条件に応じて、画像形成装置１０、セイムエッジ反転装置２０、画像形成装置３０及びスイッチバック反転部３８の動作を制御する制御部１１と、を備える。このため、タブを有する用紙としてのインデックス紙に対して、後処理装置４０の後処理に応じてタブ位置を制御できる。
【０１４０】
また、制御部１１は、用紙に対する後処理装置４０の後処理が先端基準であるか後端基準であるかに応じて、画像形成装置１０及び画像形成装置３０による当該用紙への表面及び裏面の画像形成と、スイッチバック反転部３８による当該用紙へのスイッチバック反転及びセイムエッジ反転装置２０の動作の有無とを制御する。このため、タブを有する用紙としてのインデックス紙に対して、後処理部４４の後処理の先端基準又は後端基準に応じてタブ位置を制御できる。
【０１４１】
また、画像形成システム１は、画像形成装置１０に対して搬送方向先端側にタブが位置しない状態でインデックス紙を給紙し、制御部１１は、インデックス紙のフェースダウン出力を行うにあたり、当該インデックス紙に対する後処理装置４０の後処理が後端基準である場合に、画像形成装置１０に当該インデックス紙の裏面へ画像形成させ、セイムエッジ反転装置２０に当該インデックス紙をセイムエッジ反転させ、画像形成装置３０に当該インデックス紙の表面へ画像形成させ、スイッチバック反転部３８に当該インデックス紙をスイッチバック反転させて当該インデックス紙のタブを搬送方向先端側に位置するように制御する。このため、フェースダウン出力であり後処理が後端基準である場合に、インデックス紙に対して、後処理部４４の後処理に応じてタブ位置を制御して適切に画像形成できる。
【０１４２】
また、画像形成システム１は、画像形成装置１０に対して搬送方向先端側にタブが位置しない状態でインデックス紙を給紙し、制御部１１は、インデックス紙のフェースダウン出力を行うにあたり、当該インデックス紙に対する後処理装置４０の後処理が先端基準である場合に、画像形成装置１０に当該インデックス紙の表面へ画像形成させ、セイムエッジ反転装置２０に当該インデックス紙をセイムエッジ反転させ、画像形成装置３０に当該インデックス紙の裏面へ画像形成させて当該インデックス紙のタブを搬送方向後端側に位置するように制御する。このため、フェースダウン出力であり後処理が先端基準である場合に、インデックス紙に対して、後処理部４４の後処理に応じてタブ位置を制御して適切に画像形成できる。
【０１４３】
また、画像形成システム１は、画像形成装置１０に対して搬送方向先端側にタブが位置しない状態でインデックス紙を給紙し、制御部１１は、インデックス紙のフェースアップ出力を行うにあたり、当該インデックス紙に対する後処理装置４０の後処理が後端基準である場合に、画像形成装置１０に当該インデックス紙の表面へ画像形成させ、セイムエッジ反転装置２０に当該インデックス紙をセイムエッジ反転させ、画像形成装置３０に当該インデックス紙の裏面へ画像形成させ、スイッチバック反転部３８に当該インデックス紙をスイッチバック反転させて当該インデックス紙のタブを搬送方向先端側に位置するように制御する。このため、フェースアップ出力であり後処理が後端基準である場合に、インデックス紙に対して、後処理部４４の後処理に応じてタブ位置を制御して適切に画像形成できる。
【０１４４】
また、画像形成システム１は、画像形成装置１０に対して搬送方向先端側にタブが位置しない状態でインデックス紙を給紙し、制御部１１は、インデックス紙のフェースアップ出力を行うにあたり、当該インデックス紙に対する後処理装置４０の後処理が先端基準である場合に、画像形成装置１０に当該インデックス紙の裏面へ画像形成させ、セイムエッジ反転装置２０に当該インデックス紙をセイムエッジ反転させ、画像形成装置３０に当該インデックス紙の表面へ画像形成させて当該インデックス紙のタブを搬送方向後端側に位置するように制御する。このため、フェースアップ出力であり後処理が先端基準である場合に、インデックス紙に対して、後処理部４４の後処理に応じてタブ位置を制御して適切に画像形成できる。
【０１４５】
また、特に、通常紙を印刷する場合に、通常紙もインデックス紙と同様に反転を施すと、用紙の生産性が落ちたり、印刷の信頼性が低下する。特に、スイッチバック反転では、反転部分までの往復の用紙の搬送距離を要するため、そのままの搬送速度では搬送時間が掛かりすぎ、用紙間隔を広げる等、印刷物の生産性を低下することになる。しかし、画像形成システム１では、通常紙を印刷する場合に、スイッチバック反転を行わないので、用紙の生産性の低下を防ぐことができ、搬送速度を上げなくてもよいため、ジャムの発生を防いで印刷の信頼性の低下を防ぐことができる。
【０１４６】
なお、上記実施の形態における記述は、本発明に係る好適な画像形成システムの一例であり、これに限定されるものではない。
【０１４７】
例えば、上記実施の形態の画像形成システム１は、セイムエッジ反転装置２０がセイムエッジ反転部２４を備え、画像形成装置３０がスイッチバック反転部３８を備える構成としたが、これに限定されるものではない。例えば、画像形成装置１０がセイムエッジ反転部２４を備える構成としたり、画像形成装置３０の用紙搬送方向下流側に設けたスイッチバック反転装置、又は後処理装置４０がスイッチバック反転部３８を備える構成としてもよい。
【０１４８】
また、上記実施の形態では、セイムエッジ反転部２４が、画像形成部１７Ａ，３７Ａの間に配置され、スイッチバック反転部３８が、画像形成部３７Ａの用紙搬送方向下流側に配置される構成としたが、これに限定されるものではない。例えば、画像形成システムにおいて、スイッチバック反転部が、画像形成部１７Ａ，３７Ａの間に設けられ、セイムエッジ反転部が、画像形成部３７Ａの用紙搬送方向下流側に設けられる構成としてもよい。この構成において、画像形成システムが後処理部４４を有し、スイッチバック反転部が、画像形成部３７Ａ及び後処理部４４の間に配置され、制御部１１が、後処理部４４の後処理条件に応じてセイムエッジ反転及び／またはスイッチバック反転の動作の有無を制御する構成としてもよい。
【０１４９】
また、画像形成部１７Ａ，３７Ａ、セイムエッジ反転部２４、スイッチバック反転部３８を有し、後処理部４４を有する／または有さない画像形成装置として構成してもよい。
【０１５０】
また、上記実施の形態では、用紙の長手方向の辺にタブが付加され、用紙の短手方向が搬送方向に平行な構成を説明したが、これに限定されるものではない。用紙の短手方向の辺にタブが付加され、用紙の長手方向が搬送方向に平行な構成としてもよい。
【０１５１】
また、以上の実施の形態における画像形成システムを構成する各部の細部構成及び細部動作に関して本発明の趣旨を逸脱することのない範囲で適宜変更可能である。
【符号の説明】
【０１５２】
１  画像形成システム
１０，３０  画像形成装置
１１，３１  制御部
１１Ａ，３１Ａ  ＣＰＵ
１１Ｂ，３１Ｂ  ＲＡＭ
１１Ｃ，３１Ｃ  ＲＯＭ
１２，３２  通信部
１３  操作表示部
１３Ａ  操作部
１３Ｂ  表示部
１４，３４  記憶部
１５，３５  用紙供給部
１６  搬送部
１６ａ  レジストローラー
１７Ａ，３７Ａ  画像形成部
１７Ｂ，３７Ｂ  定着部
１８  原稿搬送部
１９  画像読取部
３６  切替搬送部
３６ａ  レジストローラー
３８  スイッチバック反転部
２０  セイムエッジ反転装置
２１  制御部
２１Ａ  ＣＰＵ
２１Ｂ  ＲＡＭ
２１Ｃ  ＲＯＭ
２２  通信部
２３  切替搬送部
２４  セイムエッジ反転部
４０  後処理装置
４１  制御部
４１Ａ  ＣＰＵ
４１Ｂ  ＲＡＭ
４１Ｃ  ＲＯＭ
４２  通信部
４３  切替搬送部
４４  後処理部
４５  メイントレイ排紙部
４５ａ  メイントレイ
４６  サブトレイ排紙部
４６ａ  サブトレイ
【図１】
2013234065.tif 000003
【図２】
2013234065.tif 000004
【図３】
2013234065.tif 000005
【図４】
2013234065.tif 000006
【図５】
2013234065.tif 000007
【図６】
2013234065.tif 000008
【図７】
2013234065.tif 000009
【図８】
2013234065.tif 000010
【図９】
2013234065.tif 000011
【図１０】
2013234065.tif 000012
【図１１】
2013234065.tif 000013
【図１２】
2013234065.tif 000014
【図１３】
2013234065.tif 000015
【図１４】
2013234065.tif 000016